(57)【要約】【課題】本発明の課題は、ホテルの客室に備えられる空気調和装置を一括で管理する装置のシステム障害の発生を低減することにある。【解決手段】ホテル用客室空調管理装置１は、複数のグループに分類される複数の空気調和装置を管理するホテル客室空調管理装置であって、複数の個別コントローラ５１ａ〜５３ｆと、客室情報取得手段２５，２６，７１ａ〜７３ｆ，８１ａ〜８３ｆ，９１ａ〜９３ｆと、指示生成部２１と、第１空調コントローラと、第２空調コントローラとを備える。個別コントローラは、各客室に備えられ、運転設定変更情報を送信可能である。客室情報取得手段は各客室の客室情報を取得可能である。指示生成部は、運転設定変更情報と客室情報とに基づいて指示情報を生成する。第１空調コントローラおよび第２空調コントローラは、指示情報に基づいてそれぞれのグループに属する複数の空気調和装置を制御する。【選択図】図１
2008209035.tif 000002
【特許請求の範囲】
【請求項１】
複数の客室（Ｒ１１〜Ｒ１６，Ｒ２１〜Ｒ２６，Ｒ３１〜Ｒ３６）が設けられるホテル内で、各前記客室に少なくとも１台が配備され第１グループと第２グループとに分類される複数の空気調和装置（４１ａ〜４１ｆ，４２ａ〜４２ｆ，４３ａ〜４３ｆ）、を管理するホテル用客室空調管理装置であって、
各前記客室に少なくとも１台が備えられ、前記客室内の前記空気調和装置の運転設定を変更する運転設定変更情報を送信可能な複数の個別コントローラ（５１ａ〜５１ｆ，５２ａ〜５２ｆ，５３ａ〜５３ｆ）と、
各前記客室の客室情報を取得可能な客室情報取得手段（２５，２６，７１ａ〜７１ｆ，７２ａ〜７２ｆ，７３ａ〜７３ｆ，８１ａ〜８１ｆ，８２ａ〜８２ｆ，８３ａ〜８３ｆ，９１ａ〜９１ｆ，９２ａ〜９２ｆ，９３ａ〜９３ｆ）と、
前記運転設定変更情報と前記客室情報とに基づいて指示情報を生成する指示生成部（２１）と、
前記指示情報に基づいて前記第１グループに属する前記複数の空気調和装置を制御する第１空調コントローラと、
前記指示情報に基づいて前記第２グループに属する前記複数の空気調和装置を制御する第２空調コントローラと、
を備えたホテル用客室空調管理装置（１）。
【請求項２】
前記客室情報には、前記客室に客がチェックインしているかチェックアウトしているかを示すチェックイン／チェックアウト情報が含まれ、
前記指示生成部は、前記チェックイン／チェックアウト情報に基づいて、前記客室に客がチェックインすると、前記客室内の空気調和装置の設定温度を第１設定温度にさせる指示を前記指示情報として生成し、前記客室から客がチェックアウトすると、前記客室内の空気調和装置に第１運転をさせる指示を前記指示情報として生成する、
請求項１に記載のホテル用客室空調管理装置（１）。
【請求項３】
前記第１運転は、前記空気調和装置を停止する運転である、
請求項２に記載のホテル用客室空調管理装置（１）。
【請求項４】
前記第１運転は、前記設定温度を省エネルギー設定温度に設定する運転である、
請求項２に記載のホテル用客室空調管理装置。
【請求項５】
前記第１運転は、暖房時に前記設定温度を第１所定温度下げ、冷房時に前記設定温度を第２所定温度上げる運転である、
請求項２に記載のホテル用客室空調管理装置。
【請求項６】
前記第１所定温度と前記第２所定温度とは、季節ごとに設定される、
請求項５に記載のホテル用客室空調管理装置。
【請求項７】
前記第１所定温度と前記第２所定温度とは、時間帯ごとに設定される、
請求項５または６に記載のホテル用客室空調管理装置。
【請求項８】
前記第１所定温度と前記第２所定温度とは、気象情報に基づいて変更される、
請求項５から７のいずれかに記載のホテル用客室空調管理装置。
【請求項９】
前記客室情報には、前記客室に客が出室したか入室したかを示す出入室情報が含まれ、
前記指示生成部は、客が出室した前記客室内の空気調和装置を第１所定時間後に第２運転させる指示を前記指示情報として生成し、客が入室した前記客室内の前記設定温度を第２設定温度にさせる指示を前記指示情報として生成する、
請求項２から８のいずれかに記載のホテル用客室空調管理装置（１）。
【請求項１０】
前記第２運転は、前記空気調和装置を停止する運転、または、前記設定温度を省エネルギー設定温度に設定する運転、または、暖房時に前記設定温度を第３所定温度下げ、冷房時に前記設定温度を第４所定温度上げる運転である、
請求項９に記載のホテル用客室空調管理装置（１）。
【請求項１１】
前記客室情報には、前記客室内で客が就寝した就寝情報と、前記客室内で客が起床する起床情報が含まれ、
前記指示生成部は、前記就寝情報を得ると前記設定温度を第２所定時間後に第３設定温度にさせる指示を前記指示情報として生成し、前記起床情報がある場合に前記設定温度を所定時刻に前記個別コントローラで設定される個別設定温度にさせる指示を前記指示情報として生成する、
請求項２から１０のいずれかに記載のホテル用客室空調管理装置（１）。
【請求項１２】
前記就寝情報は、前記客室内で客が消灯することにより取得され、
前記起床情報は、客がモーニングコールを設定することにより取得される、
請求項１１に記載のホテル用客室空調管理装置（１）。
【発明の詳細な説明】
【技術分野】
【０００１】
本発明は、ホテルの客室に備えられる空気調和装置を管理する客室空調管理装置に関する。
【背景技術】
【０００２】
従来、ホテルの客室に備えられる空気調和装置を管理する客室空調管理装置としては、特許文献１の技術のように各客室に備えられる空気調和装置を個別に温度設定できる客室コントローラを中央管理装置から一括で制御できるようにしたものがある。
【特許文献１】特許第２９２５９２４号公報
【発明の開示】
【発明が解決しようとする課題】
【０００３】
しかしながら、特許文献１のような技術では、中央管理装置が一括で各客室の客室コントローラを制御しているため、制御処理負荷が集中しやすくなりシステム障害が発生する場合がある。また、中央管理装置が故障してしまうなどして中央管理装置が利用できなくなった場合に、各客室の空気調和装置の設定温度を一括で管理できなくなるため、各客室の設定温度を設定するのに非常に手間がかかることになる。
【０００４】
本発明の課題は、ホテルの客室に備えられる空気調和装置を一括で管理する装置のシステム障害の発生を低減することにある。
【課題を解決するための手段】
【０００５】
第１発明に係るホテル用客室空調管理装置は、複数の客室が設けられるホテル内で、各客室に少なくとも１台が配備され第１グループと第２グループとに分類される複数の空気調和装置、を管理するホテル客室空調管理装置であって、複数の個別コントローラと、客室情報取得手段と、指示生成部と、第１空調コントローラと、第２空調コントローラとを備える。個別コントローラは、各客室に少なくとも１台が備えられ、客室内の空気調和装置の運転設定を変更する運転設定変更情報を送信可能である。客室情報取得手段は、各客室の客室情報を取得可能である。指示生成部は、運転設定変更情報と客室情報とに基づいて指示情報を生成する。第１空調コントローラは、指示情報に基づいて第１グループに属する複数の空気調和装置を制御する。第２空調コントローラは、指示情報に基づいて第２グループに属する複数の空気調和装置を制御する。
【０００６】
本発明では、グループごとに一括制御できる第１空調コントローラと第２空調コントローラを備えている。指示生成部により、客室内の個別コントローラからの設定変更情報と、その客室から取得される客室情報とに基づいて指示情報が生成される。第１空調コントローラは、生成された指示情報に基づいて第１グループに属する複数の空気調和装置を制御する。第２空調コントローラは、第１空調コントローラと同様に、指示情報に基づいて第２グループに属する複数の空気調和装置を制御する。なお、ここで、複数の空気調和装置は第１グループと第２グループとに分類されているが、本発明ではこれに限らずに、第１グループと第２グループとの他に第３グループなどがあってもよく、３グループ以上に分類されていても構わない。この場合に、第３グループに含まれる複数の空気調和装置は、例えば第３空調コントローラによって制御される。
【０００７】
ここでは、ユーザが改めて入力し直さなくとも、自動的に各客室の客室情報を考慮した制御を行うことができる。また、空気調和装置を制御する空調コントローラが複数備えられているため、１台の空調コントローラに制御処理を集中させにくくすることができ、システム障害の発生を低減させることができる。
【０００８】
第２発明に係るホテル用客室空調管理装置は、第１発明のホテル用客室空調管理装置であって、客室情報には、客室に客がチェックインしているかチェックアウトしているかを示すチェックイン／チェックアウト情報が含まれる。指示生成部は、チェックイン／チェックアウト情報に基づいて、客室に客がチェックインすると、客室内の空気調和装置の設定温度を第１設定温度にさせる指示を指示情報として生成する。また、指示生成部は、客室から客がチェックアウトすると、客室内の空気調和装置に第１運転をさせる指示を指示情報として生成する。
【０００９】
本発明では、客室情報には、客が客室にチェックインしているかチェックアウトしているかを示すチェックイン／チェックアウト情報が含まれる。チェックイン／チェックアウト情報に基づいて、指示生成部は、客にチェックインされた客室の空気調和装置の設定温度を第１温度に設定させる指示を指示情報として生成し、客にチェックアウトされた客室の空気調和装置に第１運転をさせる指示を指示情報として生成している。
【００１０】
したがって、客が客室にチェックインしているかチェックアウトしているかにより、客室内の空気調和装置の運転状況を自動的に変更することができる。このため、例えば、客がチェックアウトして客室に誰もいない場合に、空気調和装置を停止させておいたり、省エネ運転させておいたりすることができ、無駄な運転を抑えることができる。このため、エネルギー消費を抑えることができる。
【００１１】
第３発明に係るホテル用客室空調管理装置は、第２発明に係るホテル用客室空調管理装置であって、第１運転は、空気調和装置を停止する運転である。
【００１２】
本発明では客室から客がチェックアウトして、客室から客がいなくなった場合に、空気調和装置を停止させる。したがって、客がいない客室の空気調和装置の無駄な運転を抑えることができる。
【００１３】
第４発明に係るホテル用客室空調管理装置は、第２発明に係るホテル用客室空調管理装置であって、第１運転は、設定温度を省エネルギー設定温度に設定する運転である。
【００１４】
本発明では、客室から客がチェックアウトして、客室から客がいなくなった場合に、空気調和装置の設定温度を省エネルギー設定温度に設定変更して、空気調和装置を運転させる。したがって、客がいない客室の空気調和装置の運転のエネルギー消費を極力抑えることができる。
【００１５】
第５発明に係るホテル用客室空調管理装置は、第２発明に係るホテル用客室空調管理装置であって、第１運転は、暖房時に設定温度を第１所定温度下げ、冷房時に設定温度を第２所定温度上げる運転である。
【００１６】
本発明では、客室から客がチェックアウトして、客室から客がいなくなった場合に、空気調和装置の設定温度を、暖房運転の場合には第１所定温度下げて、冷房運転の場合には第２所定温度上げて、空気調和装置を運転させている。したがって、客がいない客室の空気調和装置の運転のエネルギー消費を極力抑えることができる。
【００１７】
第６発明に係るホテル用客室空調管理装置は、第５発明に係るホテル用客室空調管理装置であって、第１所定温度と第２所定温度とは、季節ごとに設定される。
【００１８】
本発明では、季節ごとに異なる値に、第１所定温度と第２所定温度とを設定しているため、客により快適な環境を提供できる。
【００１９】
第７発明に係るホテル用客室空調管理装置は、第５発明または第６発明に係るホテル用客室空調管理装置であって、第１所定温度と第２所定温度とは、時間帯ごとに設定される。
【００２０】
本発明では、時間帯ごとに異なる値に、第１所定温度と第２所定温度とを設定しているため、客により快適な環境を提供できる。
【００２１】
第８発明に係るホテル用客室空調管理装置は、第５発明から第７発明のいずれかに係るホテル用客室空調管理装置であって、第１所定温度と第２所定温度とは、気象情報に基づいて変更される。
【００２２】
本発明では、気象情報に基づいて、第１所定温度と第２所定温度とを変更しているため、客に対してリアルタイムにより快適な環境を提供できる。
【００２３】
第９発明に係るホテル用客室空調管理装置は、第２発明から第８発明のいずれかに係るホテル用客室空調管理装置であって、客室情報には、客室に客が出室したか入室したかを示す出入室情報が含まれる。指示生成部は、客が出室した客室内の空気調和装置を第１所定時間後に第２運転させる指示を指示情報として生成する。また、指示生成部は、客が入室した客室内の設定温度を第２設定温度にさせる指示を指示情報として生成する。
【００２４】
本発明では、客室情報には、客が客室に出室したか入室したかを示す出入室情報が含まれる。出入室情報に基づいて、指示生成部は、客が出室した客室の空気調和装置を第２運転させる指示を指示情報として生成し、客が入室した客室の空気調和装置の設定温度を第２設定温度にさせる指示を指示情報として生成している。
【００２５】
したがって、客が客室に出室したか入室したかにより、客室内の空気調和装置の運転状況を自動的に変更することができる。このため、例えば、客が客室から出て不在になった場合に、空気調和装置を停止させておいたり、省エネ運転させておいたりすることができ、無駄な運転を抑えることができる。このため、エネルギー消費を抑えることができる。
【００２６】
第１０発明に係るホテル用客室空調管理装置は、第９発明に係るホテル用客室空調管理装置であって、第２運転は、空気調和装置を停止する運転、または、設定温度を省エネルギー設定温度に設定する運転、または、暖房時に設定温度を第３所定温度下げ、冷房時に設定温度を第４所定温度上げる運転である。
【００２７】
本発明では、客室から客が出て不在になった場合に、空気調和装置を停止させている。または、客室から客が出て不在になった場合に、空気調和装置の設定温度を省エネルギー設定温度に設定変更して、空気調和装置を運転させている。または、客室から客が出て不在になった場合に、空気調和装置の設定温度を、暖房運転の場合には第３所定温度下げて、冷房運転の場合には第４所定温度上げて、空気調和装置を運転させている。
【００２８】
したがって、客がいない客室の空気調和装置の無駄な運転を抑えることができる。あるいは、客がいない客室の空気調和装置の運転のエネルギー消費を極力抑えることができる。
【００２９】
第１１発明に係るホテル用客室空調管理装置は、第２発明から第１０発明のいずれかに係るホテル用客室空調管理装置であって、客室情報には、就寝情報と、気象情報とが含まれる。就寝情報は、客室内で客が就寝した情報である。気象情報は、客室内で客が起床する情報である。指示生成部は、就寝情報を得ると設定温度を第２所定時間後に第３設定温度にさせる指示を指示情報として生成する。また、指示生成部は、起床情報がある場合に設定温度を所定時刻に個別コントローラで設定される個別設定温度にさせる指示を指示情報として生成する。
【００３０】
本発明では、客室情報には、客が就寝した就寝情報と客が起床する起床情報が含まれる。就寝情報に基づいて、指示生成部は、客が就寝した時刻から第３所定時間後にその客室の空気調和装置の設定温度を第３設定温度にさせる指示を指示情報として生成し、起床情報に基づいて、指示生成部は、所定時刻に個別設定温度にさせる指示を指示情報として生成している。
【００３１】
したがって、客が就寝したり起床したりする際に、その客室の空気調和装置の設定温度を自動的に変更させることで、客室内を、客が就寝しやすい温度にすることができ、また、客が起床しやすい温度にすることができる。
【００３２】
第１２発明に係るホテル用客室空調管理装置は、第１１発明に係るホテル用客室空調管理装置であって、就寝情報は、客室内で客が消灯することにより取得される。起床情報は、客がモーニングコールを設定することにより取得される。
【００３３】
本発明では、就寝情報と起床情報とを客の行動から判断し、客室内を、客が就寝しやすい温度にすることができ、また、客が起床しやすい温度にすることができる。
【発明の効果】
【００３４】
第１発明に係るホテル用客室空調管理装置では、ユーザが改めて入力し直さなくとも、自動的に各客室の客室情報を考慮した制御を行うことができる。また、空気調和装置を制御する空調コントローラは複数備えられているため、１台の空調コントローラに制御処理を集中させにくくすることができ、システム障害の発生を低減させることができる。
【００３５】
第２発明に係るホテル用客室空調管理装置では、客が客室にチェックインしているかチェックアウトしているかにより、客室内の空気調和装置の運転状況を自動的に変更することができる。このため、例えば、客がチェックアウトして客室に誰もいない場合に、空気調和装置を停止させておいたり、省エネ運転させておいたりすることができ、無駄な運転を抑えることができる。このため、エネルギー消費を抑えることができる。
【００３６】
第３発明に係るホテル用客室空調管理装置では、客がいない客室の空気調和装置の無駄な運転を抑えることができる。
【００３７】
第４発明に係るホテル用客室空調管理装置では、客がいない客室の空気調和装置の運転のエネルギー消費を極力抑えることができる。
【００３８】
第５発明に係るホテル用客室空調管理装置では、客がいない客室の空気調和装置の運転のエネルギー消費を極力抑えることができる。
【００３９】
第６発明に係るホテル用客室空調管理装置では、季節ごとに異なる値に、第１所定温度と第２所定温度とを設定しているため、客により快適な環境を提供できる。
【００４０】
第７発明に係るホテル用客室空調管理装置では、時間帯ごとに異なる値に、第１所定温度と第２所定温度とを設定しているため、客により快適な環境を提供できる。
【００４１】
第８発明に係るホテル用客室空調管理装置では、気象情報に基づいて、第１所定温度と第２所定温度とを変更しているため、客に対してリアルタイムにより快適な環境を提供できる。
【００４２】
第９発明に係るホテル用客室空調管理装置では、客が客室に出室したか入室したかにより、客室内の空気調和装置の運転状況を自動的に変更することができる。このため、例えば、客が客室から出て不在になった場合に、空気調和装置を停止させておいたり、省エネ運転させておいたりすることができ、無駄な運転を抑えることができる。このため、エネルギー消費を抑えることができる。
【００４３】
第１０発明に係るホテル用客室空調管理装置では、客がいない客室の空気調和装置の無駄な運転を抑えることができる。あるいは、客がいない客室の空気調和装置の運転のエネルギー消費を極力抑えることができる。
【００４４】
第１１発明に係るホテル用客室空調管理装置では、客が就寝したり起床したりする際に、その客室の空気調和装置の設定温度を自動的に変更させることで、客室内を、客が就寝しやすい温度にすることができ、また、客が起床しやすい温度にすることができる。
【００４５】
第１２発明に係るホテル用客室空調管理装置では、就寝情報と起床情報とを客の行動から判断し、客室内を、客が就寝しやすい温度にすることができ、また、客が起床しやすい温度にすることができる。
【発明を実施するための最良の形態】
【００４６】
＜ホテル用客室空調管理システムの概略構成＞
本発明に係るホテル用客室空調管理システム１は、図１に示されるようにホテル等の多数の客室を有する建物に導入されるホテル用客室空調管理システム１であって、主に、中央管理装置２、空調コントローラ３１〜３３、３グループの空気調和装置４１ａ〜４１ｆ，４２ａ〜４２ｆ，４３ａ〜４３ｆ、客室内にある空気調和装置４１ａ〜４１ｆ，４２ａ〜４２ｆ，４３ａ〜４３ｆの運転設定を個別に調整できる客室コントローラ５１ａ〜５１ｆ，５２ａ〜５２ｆ，５３ａ〜５３ｆ、フロントインジケータ６、および空調ネットワーク１０から構成されている。ここにいう「運転設定」とは、空気調和装置４１ａ〜４１ｆ，４２ａ〜４２ｆ，４３ａ〜４３ｆの運転、停止、および空気調和装置４１ａ〜４１ｆ，４２ａ〜４２ｆ，４３ａ〜４３ｆの設定温度（客室設定温度）のことをいう。
【００４７】
本実施形態に係るホテルは３階建てであり、１フロア当たり６部屋の客室Ｒ１１〜１６，Ｒ２１〜２６，Ｒ３１〜３６を有するホテルである。そして、ホテルの各客室には、空気調和装置４１ａ〜４１ｆ，４２ａ〜４２ｆ，４３ａ〜４３ｆおよび客室コントローラ５１ａ〜５１ｆ，５２ａ〜５２ｆ，５３ａ〜５３ｆがそれぞれ１台ずつ備えられている。ここでは、ホテルは３階建てで、客室数は各フロアに６部屋ずつとしているが、階数および部屋数をこれに限定するものではない。また、各客室に空気調和装置４１ａ〜４１ｆ，４２ａ〜４２ｆ，４３ａ〜４３ｆおよび客室コントローラ５１ａ〜５１ｆ，５２ａ〜５２ｆ，５３ａ〜５３ｆはそれぞれ１台ずつとしているが、同様に数量をこれに限定するものではない。
【００４８】
なお、このホテル用客室空調管理システム１において、空気調和装置４１ａ〜４１ｆ，４２ａ〜４２ｆ，４３ａ〜４３ｆは、空調コントローラ３１〜３３を介して空調ネットワーク１０により中央管理装置２と接続されている。また、客室コントローラ５１ａ〜５１ｆ，５２ａ〜５２ｆ，５３ａ〜５３ｆは、空調ネットワーク１０により中央管理装置２と直接接続されている。空気調和装置４１ａ〜４１ｆ，４２ａ〜４２ｆ，４３ａ〜４３ｆは、それぞれ中央管理装置２によって監視される。
【００４９】
ホテル用客室空調管理システム１は、客がチェックインしている客室Ｒ１１〜１６，Ｒ２１〜２６，Ｒ３１〜３６の各客室コントローラ５１ａ〜５１ｆ，５２ａ〜５２ｆ，５３ａ〜５３ｆで客が設定した客室設定温度になるように、各空気調和装置４１ａ〜４１ｆ，４２ａ〜４２ｆ，４３ａ〜４３ｆを制御している。具体的には、例えば、客室Ｒ１２にチェックインした客が客室Ｒ１２に備えられる客室コントローラ５１ｂで客室設定温度を２８℃に設定すると、中央管理装置２は、客室設定温度が２８℃に設定されたことを受信する。客室Ｒ１２の客室設定温度を受信した中央管理装置２は、空調コントローラ３１へ客室Ｒ１２ｂの空気調和装置４１ｂを設定温度２８℃で制御するように指令を出す。そして、空調コントローラ３１は、客室Ｒ１２の空気調和装置４１ｂを設定温度２８℃で制御することになる。なお、フロントインジケータ６は、中央管理装置２から客室設定温度を必要に応じて取得できる。
【００５０】
（１）中央管理装置の構成
図２は、中央管理装置２の主な構成を示した概略図である。以下、図２に基づいて説明する。
【００５１】
中央管理装置２は、データ処理部２１と、メモリ２２と、ディスプレイ等の表示部２３と、通信インターフェイス等の通信部２４と、キーボード２５、マウス２６等によって構成されている。
【００５２】
データ処理部２１は、メモリ２２に記憶される演算プログラムに従って、メモリ２２、通信部２４、キーボード２５、およびマウス２６から得られるチェックイン／アウト情報処理、出入室情報処理、客室設定温度情報処理、セットバック運転処理（後述参照）等の各種情報を演算処理して規定の情報を導出し、その情報をメモリ２２、表示部２３、および通信部２４に送信する。
【００５３】
メモリ２２には、空気調和装置４１ａ〜４１ｆ，４２ａ〜４２ｆ，４３ａ〜４３ｆを制御するために必要なテーブル、空気調和装置４１ａ〜４１ｆ，４２ａ〜４２ｆ，４３ａ〜４３ｆや客室コントローラ５１ａ〜５１ｆ，５２ａ〜５２ｆ，５３ａ〜５３ｆなどとの通信に必要な位置情報、グルーピング情報などの空気調和装置４１ａ〜４１ｆ，４２ａ〜４２ｆ，４３ａ〜４３ｆに関する情報が記憶されている。また、メモリ２２には、各客室Ｒ１１〜１６，Ｒ２１〜２６，Ｒ３１〜３６のチェックイン／チェックアウト情報、出入室情報、客室コントローラ５１ａ〜５１ｆ，５２ａ〜５２ｆ，５３ａ〜５３ｆによる空気調和装置４１ａ〜４１ｆ，４２ａ〜４２ｆ，４３ａ〜４３ｆの客室設定温度情報、初期設定温度情報、セットバックシフト値情報などが記録されている。
【００５４】
なお、ここにいう「初期設定温度情報」とは、客が客室Ｒ１１〜１６，Ｒ２１〜２６，Ｒ３１〜３６にチェックインしたとき設定される空気調和装置４１ａ〜４１ｆ，４２ａ〜４２ｆ，４３ａ〜４３ｆの設定温度（初期設定温度）が、夏季、冬季、および中間期の季節別、かつ、朝、昼、および夜の時間帯別にまとめられたものである（図３参照）。例えば、客が客室Ｒ１２にチェックインをして在室している際には、客室コントローラ５１により設定される客室設定温度が優先されており、客室設定温度が２４℃であると空気調和装置４１は設定温度２４℃で運転される。そして、この客がチェックアウトして次の客が客室Ｒ１２にチェックインしたときに、初期設定温度が２８℃であるとすると客室設定温度で設定された２４℃ではなく初期設定温度の２８℃にリセットされる。ここで、夏季は６月から８月までの期間、冬季は１月から２月までと１２月との期間、中間期は３月から５月までの期間と９月から１１月までの期間に設定されている。なお、この夏季、冬季、および中間期は、ユーザがキーボード２５やマウス２６などの入力装置により任意の期間に変更できるものとする。また、ここで、朝は４時から１０時までの時間帯であり、昼は１０時から１６時までの時間帯であり、夜は１６時から次の日の４時までの時間帯である。この朝、昼、および夜は、季節と同様に、ユーザがキーボード２５やマウス２６などの入力装置により任意の期間に変更できるものとする。さらに、この時間帯は、季節ごとに別々の時間帯にできるようにしても構わない。図３によると、季節ごとかつ時間帯ごとに初期設定温度がそれぞれ異なる値に設定されているが、本発明はこれに限らず、客室ごと、フロアごとなど場所によって設定するようにしても構わない。
【００５５】
また、ここにいう「セットバックシフト値情報」とは、後述するセットバック運転の演算に用いられる値である。セットバックシフト値は、図３によると、季節、時間帯、および客室にかかわらず全て同一の値となっているが、これも別々に設定するようにしてもよく、ユーザがキーボード２５やマウス２６などの入力装置により任意の値に変更できるものとする。
【００５６】
表示部２３は、メモリ２２に記録されている各種情報に基づいて、各客室Ｒ１１〜１６，Ｒ２１〜２６，Ｒ３１〜３６のチェックイン／チェックアウト状況、出入室状況、照明のオン／オフ状況、モーニングコール設定時間、初期設定温度、セットバックシフト値などを例えば図３や図４のように表示する。表示部２３には、上述したように、各客室Ｒ１１〜１６，Ｒ２１〜２６，Ｒ３１〜３６の初期設定温度およびセットバックシフト値を表示させたり（図３参照）、図４のように各客室Ｒ１１〜１６，Ｒ２１〜２６，Ｒ３１〜３６のチェックイン／チェックアウト状況、出入室状況、照明のオン／オフ状況、およびモーニングコール設定時間を表示させたりする。
【００５７】
通信部２４は、受信部２４ａと送信部２４ｂとからなる。受信部２４ａは、客室コントローラ５１ａ〜５１ｆ，５２ａ〜５２ｆ，５３ａ〜５３ｆからの運転設定情報、各客室Ｒ１１〜１６，Ｒ２１〜２６，Ｒ３１〜３６の設備機器からの客室情報などを受信する。送信部２４ｂは、各フロア１Ｆ〜３Ｆの空気調和装置４１ａ〜４１ｆ，４２ａ〜４２ｆ，４３ａ〜４３ｆを制御する空調コントローラ３１〜３３にデータ処理部２１により演算した制御信号を送信する。
【００５８】
キーボード２５およびマウス２６などの入力装置は、上述したように、初期設定温度情報、セットバックシフト値などの他に、チェックイン／チェックアウト情報、モーニングコール設定時間などを変更できる。
【００５９】
（２）空調コントローラおよび空気調和装置
空気調和装置４１ａ〜４１ｆ，４２ａ〜４２ｆ，４３ａ〜４３ｆは、ホテルのフロア（１Ｆ〜３Ｆ）ごとにグループ分けされており３つのグループＧ１〜Ｇ３に分けられる（図１参照）。このホテルのフロア１Ｆには１ＦグループＧ１の空気調和装置４１ａ〜４１ｆが設けられ、フロア２Ｆには２ＦグループＧ２の空気調和装置４２ａ〜４２ｆが設けられ、フロア３Ｆには３ＦグループＧ３の空気調和装置４３ａ〜４３ｆが設けられる。
【００６０】
空調コントローラ３１〜３３は、各グループＧ１〜Ｇ３の空気調和装置４１ａ〜４１ｆ，４２ａ〜４２ｆ，４３ａ〜４３ｆを一括して制御する。すなわち、１ＦグループＧ１の空気調和装置４１ａ〜４１ｆは、空調ネットワーク１０を介して空調コントローラ３１に接続されており、空調コントローラ３１により制御される。同様に、２ＦグループＧ２の空気調和装置４２ａ〜４２ｆは、空調ネットワーク１０を介して空調コントローラ３２に接続されており、空調コントローラ３２により制御される。同様に、３ＦグループＧ３の空気調和装置４３ａ〜４３ｆは、空調ネットワーク１０を介して空調コントローラ３３に接続されており、空調コントローラ３３により制御される。各空調コントローラ３１〜３３は、それぞれのフロアのリネン室に配備されている。なお、ここで、空調コントローラ３１〜３３は、それぞれのフロアのリネン室に配備されているとしたが、本発明はこれに限定するものではない。
【００６１】
（３）フロントインジケータおよび各客室内の設備機器
フロントインジケータ６は、主に入力部６１と表示部６２とで構成されている。入力部６１は、チェックイン／チェックアウト情報の入力を客室Ｒ１１〜１６，Ｒ２１〜２６，Ｒ３１〜３６ごとに行うことができる。表示部６２は、ＬＥＤや液晶ディスプレイなどからなり、入力部６１で入力された各客室Ｒ１１〜１６，Ｒ２１〜２６，Ｒ３１〜３６のチェックイン／チェックアウト状況を表示させる。また、表示部６２は、各客室Ｒ１１〜１６，Ｒ２１〜２６，Ｒ３１〜３６から中央管理装置２を介して得られる出入室情報、客室設定温度情報なども表示させる。
【００６２】
客室Ｒ１１〜１６，Ｒ２１〜２６，Ｒ３１〜３６内には、客室コントローラ５１ａ〜５１ｆ，５２ａ〜５２ｆ，５３ａ〜５３ｆと、モーニングコールの時刻を設定できるモーニングコール設定部７１ａ〜７１ｆ，７２ａ〜７２ｆ，７３ａ〜７３ｆと、客室Ｒ１１〜１６，Ｒ２１〜２６，Ｒ３１〜３６内の照明機器をオン／オフできる照明スイッチ８１ａ〜８１ｆ，８２ａ〜８２ｆ，８３ａ〜８３ｆと、客室Ｒ１１〜１６，Ｒ２１〜２６，Ｒ３１〜３６に供給される電源をオン／オフするキースイッチ９１ａ〜９１ｆ，９２ａ〜９２ｆ，９３ａ〜９３ｆと、空気調和装置４１ａ〜４１ｆ，４２ａ〜４２ｆ，４３ａ〜４３ｆとが配備されている。客室コントローラ５１ａ〜５１ｆ，５２ａ〜５２ｆ，５３ａ〜５３ｆと、モーニングコール設定部７１ａ〜７１ｆ，７２ａ〜７２ｆ，７３ａ〜７３ｆと、照明スイッチ８１ａ〜８１ｆ，８２ａ〜８２ｆ，８３ａ〜８３ｆとは、各客室Ｒ１１〜１６，Ｒ２１〜２６，Ｒ３１〜３６内のナイトテーブルに設けられる。また、キースイッチ９１ａ〜９１ｆ，９２ａ〜９２ｆ，９３ａ〜９３ｆは、ドア付近に設置される。
【００６３】
客室コントローラ５１ａ〜５１ｆ，５２ａ〜５２ｆ，５３ａ〜５３ｆは、各客室Ｒ１１〜１６，Ｒ２１〜２６，Ｒ３１〜３６に１台ずつ配備されており、例えば客が客室Ｒ１２にチェックインしたとすると、客室Ｒ１２の客室コントローラ５１ｂにより、客室Ｒ１２内の空気調和装置４１ｂの運転設定を変更することができる。
【００６４】
モーニングコール設定部７１ａ〜７１ｆ，７２ａ〜７２ｆ，７３ａ〜７３ｆでは、モーニングコールの時刻を設定できる。例えばこのモーニングコールの時を客室Ｒ１２のモーニングコール設定部７１ｂにより設定すると、空気調和装置４１ｂにより後述する起床時快適運転が行われる。
【００６５】
照明スイッチ８１ａ〜８１ｆ，８２ａ〜８２ｆ，８３ａ〜８３ｆは、各客室Ｒ１１〜１６，Ｒ２１〜２６，Ｒ３１〜３６に備えられる照明（図示無し）のオン／オフができる。例えば夜の時間帯に客室Ｒ１２の照明スイッチ８１ｂをオフにすると、空気調和装置４１ｂにより後述する就寝時快適運転が行われる。
【００６６】
キースイッチ９１ａ〜９１ｆ，９２ａ〜９２ｆ，９３ａ〜９３ｆは、各客室Ｒ１１〜１６，Ｒ２１〜２６，Ｒ３１〜３６に供給される電源をオン／オフできる。すなわち、キースイッチ９１ａ〜９１ｆ，９２ａ〜９２ｆ，９３ａ〜９３ｆをオンにしないと、客室内の照明、空気調和装置４１、テレビなどの電気を利用する設備機器を使用することができない。例えば客室Ｒ１２のキースイッチ９１ｂのオン／オフ情報により、空気調和装置４１ｂに後述するセットバック運転が行われる。
【００６７】
＜ホテル用客室空調管理システムによる各種制御＞
ホテル用客室空調管理システム１は、客が各客室Ｒ１１〜１６，Ｒ２１〜２６，Ｒ３１〜３６にチェックイン／チェックアウトをしたときに行われるチェックイン／チェックアウト運転制御と、客が客室に出入りした際に行われる出入室時運転制御と、客が就寝したときに行う就寝時快適運転制御と、客が起床する際に行う起床時快適運転制御との４つの制御が自動的に行われる。図６は、８月１０日の１６時３０分に客が客室Ｒ１２にチェックインをして、８月１１日の８時３０分にチェックアウトした場合の空気調和装置の運転／停止状況と設定温度状況とを時間軸とともに示したものである。以下、図６に基づいてこれらの４つの制御について順に説明する。
【００６８】
（１）チェックイン／チェックアウト時運転制御
チェックイン／チェックアウト時運転制御では、客が客室Ｒ１１〜１６，Ｒ２１〜２６，Ｒ３１〜３６にチェックインした際に、その空気調和装置４１ａ〜４１ｆ，４２ａ〜４２ｆ，４３ａ〜４３ｆをそのとき（季節および時間帯）の初期設定温度で運転を開始する。また、チェックイン／チェックアウト時運転制御では、チェックアウトの際に、空気調和装置４１ａ〜４１ｆ，４２ａ〜４２ｆ，４３ａ〜４３ｆを無駄に運転しないために、運転を停止させる。
【００６９】
図６において時刻Ｔ１は、客が客室Ｒ１２にチェックインした時刻である。時刻Ｔ１に客が客室Ｒ１２にチェックインすると、中央管理装置２は、客室Ｒ１２の空気調和装置４１ｂを初期設定温度である２８℃（図４参照：夏季の夜における客室Ｒ１２の初期設定温度）で運転させる制御信号を空調コントローラ３１に送信する。空調コントローラ３１は、この制御信号に従って客室Ｒ１２の空気調和装置４１ｂの運転を開始する。
【００７０】
また、時刻Ｔ９は、客が客室Ｒ１２からチェックアウトした時刻である。時刻Ｔ９に客がチェックアウトしたことをフロントインジケータ６の入力部６１あるいは中央管理装置２のキーボード２５やマウス２６により入力すると、中央管理装置２は、客室Ｒ１２の空気調和装置４１ｂを停止させる制御信号を空調コントローラ３１に送信する。空調コントローラ３１は、この制御信号に従って客室Ｒ１２の空気調和装置４１ｂの運転を停止する。
【００７１】
なお、ここで、客が客室Ｒ１２にチェックイン／チェックアウトの判断は、フロントインジケータ６の入力部６１あるいは中央管理装置２のキーボード２５やマウス２６によりチェックイン／チェックアウト情報を入力することにより行われる。すなわち、客がフロントで客室Ｒ１２にチェックイン／アウトを行うと、ホテルの従業員がフロントインジケータ６の入力部６１あるいは中央管理装置２のキーボード２５やマウス２６によりチェックイン／アウト情報を入力する。これにより客が客室Ｒ１２にチェックインまたはチェックアウトしたと判断される。
【００７２】
（２）出入室時運転制御
出入室時運転制御は、客が客室Ｒ１１〜１６，Ｒ２１〜２６，Ｒ３１〜３６から外出した際に、そのときに客が設定している客室設定温度から中央管理装置２のメモリ２２に記録されているセットバックシフト値だけ、暖房運転の際には減算し、冷房運転の際には加算して、その空気調和装置４１ａ〜４１ｆ，４２ａ〜４２ｆ，４３ａ〜４３ｆを運転させる、いわゆるセットバック運転を行わせる制御である。
【００７３】
図６において時刻Ｔ２は、客が客室Ｒ１２の客室コントローラ５１ｂで空気調和装置４１の設定温度を２６℃（客室設定温度）に変更した時刻である。また、時刻Ｔ３は、客が客室Ｒ１２から外出した時刻である。客が客室Ｒ１２から外出すると、中央管理装置２は、外出してから所定時間Δｔ１（本実施形態では、１０分間）後に客室Ｒ１２の空気調和装置４１ｂの客室設定温度の２６℃に２℃加算し、客室Ｒ１２の空気調和装置４１ｂを設定温度２８℃で運転させる制御信号を空調コントローラ３１に送信する。空調コントローラ３１は、この制御信号に従って客室Ｒ１２の空気調和装置４１の設定温度を２８℃に設定変更して、客室Ｒ１２の空気調和装置４１ｂを設定温度２８℃で運転させる。時刻Ｔ８においても、中央管理装置２は、客が客室Ｒ１２から外出したと判断しており、客室Ｒ１２の空気調和装置４１ｂにセットバック運転を行わせている。
【００７４】
また、時刻Ｔ４は、客が客室Ｒ１２に入室した時刻である。客が客室Ｒ１２に入室すると、中央管理装置２は、客室Ｒ１２の空気調和装置４１ｂの設定温度をセットバック運転時の２８℃から客室設定温度に設定されている２６℃に戻し、客室Ｒ１２の空気調和装置４１ｂを設定温度２６℃で運転させる制御信号を空調コントローラ３１に送信する。空調コントローラ３１は、この制御信号に従って客室Ｒ１２の空気調和装置４１ｂの設定温度を２６℃に設定変更して、客室Ｒ１２の空気調和装置４１ｂを設定温度２６℃で運転させる。
【００７５】
なお、ここで、客が客室Ｒ１２から外出したかどうかの判断は、客室Ｒ１２のキースイッチ９１ｂをオン／オフすることで行われる。すなわち、客が客室Ｒ１２のキースイッチ９１ｂをオフにすると外出と判断され、客が客室Ｒ１２のキースイッチ９１ｂをオンにすると入室と判断される。
【００７６】
（３）就寝時／起床時快適運転制御
就寝時快適運転制御は、客が夜の時間帯に、客室Ｒ１１〜１６，Ｒ２１〜２６，Ｒ３１〜３６内のナイトテーブルに設けられた照明スイッチ８１ａ〜８１ｆ，８２ａ〜８２ｆ，８３ａ〜８３ｆをオフにした場合に、所定時間Δｔ２（本実施形態では３０分間）後に、その客室Ｒ１１〜１６，Ｒ２１〜２６，Ｒ３１〜３６内の空気調和装置４１ａ〜４１ｆ，４２ａ〜４２ｆ，４３ａ〜４３ｆの設定温度を睡眠快適温度の３０℃に設定変更し、その客室Ｒ１１〜１６，Ｒ２１〜２６，Ｒ３１〜３６内の空気調和装置４１ａ〜４１ｆ，４２ａ〜４２ｆ，４３ａ〜４３ｆを設定温度３０℃で運転させる制御である。
【００７７】
また、起床時快適運転制御では、客がナイトテーブルに設けられたモーニングコール設定部７１ａ〜７１ｆ，７２ａ〜７２ｆ，７３ａ〜７３ｆによりモーニングコール時刻を設定した場合に、そのモーニングコール時刻の所定時間Δｔ３（本実施形態では３０分間）前に、その客室Ｒ１１〜１６，Ｒ２１〜２６，Ｒ３１〜３６内の空気調和装置４１ａ〜４１ｆ，４２ａ〜４２ｆ，４３ａ〜４３ｆの設定温度を起床快適温度の２８℃に設定変更し、その客室Ｒ１１〜１６，Ｒ２１〜２６，Ｒ３１〜３６内の空気調和装置４１ａ〜４１ｆ，４２ａ〜４２ｆ，４３ａ〜４３ｆを設定温度２８℃で運転させる制御である。
【００７８】
図６において時刻Ｔ５では、客は客室Ｒ１２の客室コントローラ５１ｂで空気調和装置４１の設定温度を２８℃（客室設定温度）に変更している。時刻Ｔ６では、客は客室Ｒ１２内のナイトテーブルに設けられた照明スイッチ８１ｂをオフにしている。客が客室Ｒ１２の照明スイッチ８１ｂをオフにして３０分間が経過すると、中央管理装置２は、客が就寝したと判断し、客室Ｒ１２の空気調和装置４１ｂの設定温度をメモリ２２に記録されている睡眠快適温度の３０℃に設定変更し、客室Ｒ１２の空気調和装置４１を設定温度３０℃で運転させる制御信号を空調コントローラ３１に送信する。空調コントローラ３１は、この制御信号に従って客室Ｒ１２の空気調和装置４１ｂの設定温度を３０℃に変更して、客室Ｒ１２の空気調和装置４１ｂを設定温度３０℃で運転させる。
【００７９】
また、時刻Ｔ７は、客が客室Ｒ１２のナイトテーブルに設けられたモーニングコール設定部７１ｂによりあらかじめ設定した時刻（本実施形態では８時３０分）である。モーニングコール時刻である時刻Ｔ７の３０分前の８時００分になると、中央管理装置２は、客室Ｒ１２の空気調和装置４１ｂの設定温度をメモリ２２に記録されている起床快適温度の２８℃に設定変更し、客室Ｒ１２の空気調和装置４１ｂを設定温度２８℃で運転させる制御信号を空調コントローラ３１に送信する。空調コントローラ３１は、この制御信号に従って客室Ｒ１２の空気調和装置４１ｂの設定温度を２８℃に変更して、客室Ｒ１２の空気調和装置４１ｂを設定温度２８℃で運転させる。
【００８０】
＜特徴＞
（１）
本発明では、ホテル用客室空調管理システム１は、３つのグループに分類された空気調和装置４１ａ〜４１ｆ，４２ａ〜４２ｆ，４３ａ〜４３ｆごとに一括制御できる空調コントローラ３１〜３３を備えている。これらの空調コントローラ３１〜３３は、中央管理装置２からの指示情報に基づいて、各グループに属する複数の空気調和装置４１ａ〜４１ｆ，４２ａ〜４２ｆ，４３ａ〜４３ｆを制御する。なお、この指示情報は、客室内の個別コントローラからの設定変更情報と、その客室から取得される客室情報（チェックイン／チェックアウト情報、出入室情報、就寝情報、起床情報など）とに基づいて中央管理装置２内のデータ処理部により各客室内の空気調和装置ごとに生成される。
【００８１】
したがって、３台の空調コントローラに制御処理を分散させるができ、１台の空調コントローラに係る制御処理負荷を軽減することができる。このため、システム障害の発生を低減させることができる。また、例えば１台の空調コントローラ３１が故障しても、１ＦグループＧ１の空気調和装置４１ａ〜４１ｆの制御ができなくなることのみで抑えられ、全フロアの空気調和装置４１ａ〜４１ｆ，４２ａ〜４２ｆ，４３ａ〜４３ｆの制御ができなくなることを防ぐことができる。
【００８２】
（２）
本発明では、客室情報として、客が客室にチェックインしているかチェックアウトしているかを示すチェックイン／チェックアウト情報が含まれる。チェックイン／チェックアウト情報に基づいて、データ処理部２１は、例えば客にチェックインされた客室Ｒ１２内の空気調和装置４１ｂの設定温度を初期設定温度（２８℃）に設定させる指示情報を生成する。また、客にチェックアウトされた客室Ｒ１２内の空気調和装置４１ｂを停止させる指示情報を生成している。また、初期設定温度として、季節ごと、時間帯ごとに異なる値を設定している。
【００８３】
したがって、例えば客が客室Ｒ１２にチェックインしているかチェックアウトしているかにより、客室Ｒ１２内の空気調和装置４１ｂの運転状況を自動的に変更することができる。このため、例えば、客がチェックアウトして客室Ｒ１２に誰もいない場合に、空気調和装置を４１ｂ停止させておくことができ、無駄な運転を抑えることができる。このため、エネルギー消費を抑えることができる。また、季節ごと、時間帯ごとに、初期設定温度を異なる値に設定しているため、客により快適な環境を提供できる。
【００８４】
（３）
本発明では、客室情報として、客が客室に出室したか入室したかを示す出入室情報が含まれる。出入室情報に基づいて、データ処理部２１は、セットバック運転を行わせる指示情報を生成している。
【００８５】
したがって、例えば客が客室Ｒ１２に出室したか入室したかにより、客室Ｒ１２内の空気調和装置４１ｂをセットバック運転させるため、省エネ運転させておいたりすることができ、無駄な運転を抑えることができる。このため、エネルギー消費を抑えることができる。
【００８６】
（４）
上記実施の形態では、客室情報には、客が就寝した就寝情報と客が起床する起床情報が含まれる。データ処理部２１は、就寝情報に基づいて、客が就寝した時刻から３０分後に客室Ｒ１２の空気調和装置４１ｂの設定温度を例えば３０℃にさせるように指示情報を生成する。また、データ処理部２１は、起床情報に基づいて、モーニングコール時刻の３０分前に客室設定温度にさせるように指示情報を生成している。なお、就寝情報は、客室Ｒ１２内で客が照明スイッチ８１ｂをオフにすることにより取得される。また起床情報は、客がモーニングコール設定部７１ｂによりモーニングコール時刻を設定することにより取得される。
【００８７】
したがって、客が就寝したり起床したりする際に、その客室Ｒ１２の空気調和装置４１ｂの設定温度を自動的に変更させることで、客室Ｒ１２内を、客が就寝しやすい温度にすることができ、また、客が起床しやすい温度にすることができる。
【００８８】
＜変形例＞
以上、本発明の実施形態について図面に基づいて説明したが、具体的な構成は、これらの実施形態に限られるものではなく、発明の要旨を逸脱しない範囲で変更可能である。
【００８９】
（１）
上記実施形態では、チェックイン／チェックアウト時運転制御において、客が客室Ｒ１２をチェックアウトしたときに客室Ｒ１２の空気調和装置４１ｂを停止させる制御を行っているが、これに限らずに、セットバック運転制御を行ってもよいし、省エネルギー運転制御を行ってもよい。なお、ここにいう「省エネルギー運転制御」とは、空気調和装置４１ａ〜４１ｆ，４２ａ〜４２ｆ，４３ａ〜４３ｆの設定温度を省エネ設定温度に設定変更して、空気調和装置４１ａ〜４１ｆ，４２ａ〜４２ｆ，４３ａ〜４３ｆを省エネ設定温度で運転させる制御である。すなわち、例えば客が客室Ｒ１２をチェックアウトすると、客室Ｒ１２の空気調和装置４１ｂの設定温度を省エネ設定温度の２８℃に設定変更し、客室Ｒ１２の空気調和装置４１ｂを設定温度２８℃で運転させる。また、ここにいう「省エネ設定温度」とは、例えば図７のようにあらかじめ設定される設定温度であって、省エネルギー運転制御の際に設定される設定温度である。この省エネ設定温度は、上述のセットバックシフト値などと同様に、季節別、時間帯別などに設定されていても構わない。
【００９０】
（２）
上記実施形態では、出入室時運転制御において、客が客室Ｒ１２に出入りしたときに客室Ｒ１２の空気調和装置４１ｂに対してセットバック運転制御を行っているが、これに限らずに、客が客室Ｒ１２を出入りしたときに客室Ｒ１２の空気調和装置４１ｂを運転／停止さてもよいし、変形例（１）で説明した省エネルギー運転制御を行ってもよい。ただし、この場合に、チェックイン／チェックアウト時運転制御でセットバック運転制御が行われている場合には、出入室時運転制御でもセットバック運転制御を行うことが望ましく、また、チェックイン／チェックアウト時運転制御で省エネルギー運転制御が行われている場合には、出入室時運転制御でも省エネルギー運転制御を行うことが望ましい。
【００９１】
（３）
上記実施形態では、セットバックシフト値や初期設定温度は、あらかじめ設定される固定値であるが、これに限らずに、気象情報によりその都度変更されるような変動値であってもよい。例えば、外気温度が高く天気が晴れの場合には、初期設定温度を２８℃から２６℃にし、セットバックシフト値も２℃から３℃などにしても構わない。
【産業上の利用可能性】
【００９２】
本発明に係るホテル用客室空調管理装置は、システム障害の発生を低減させることができ、ホテルの客室に備えられる空気調和装置を管理する客室空調管理装置等として有用である。
【図面の簡単な説明】
【００９３】
【図１】本実施形態にかかるホテル用客室空調管理装置の概略構成図。
【図２】中央監視装置の概略構成図。
【図３】客室内の設備機器およびフロントインジケータの概略構成図。
【図４】各客室の初期設定温度情報およびセットバックシフト値の設定画面。
【図５】客室状況を表す画面。
【図６】空気調和装置の運転制御に関するタイムシフト図。
【図７】変形例（１）に係る初期設定温度情報および省エネ設定温度情報の設定画面。
【符号の説明】
【００９４】
１          ホテル用客室空調管理システム
２１          データ処理部（指示生成部）
２５          キーボード（客室情報取得手段）
２６          マウス（客室情報取得手段）
３１〜３３    空調コントローラ（第１空調コントローラ、第２空調コントローラ）
４１ａ〜４１ｆ，４２ａ〜４２ｆ，４３ａ〜４３ｆ    空気調和装置（複数の空気調和装置）
５１ａ〜５１ｆ，５２ａ〜５２ｆ，５３ａ〜５３ｆ    客室コントローラ（複数の個別コントローラ）
７１ａ〜７１ｆ，７２ａ〜７２ｆ，７３ａ〜７３ｆ    モーニングコール設定部（客室情報取得手段）
８１ａ〜８１ｆ，８２ａ〜８２ｆ，８３ａ〜８３ｆ    照明スイッチ（客室情報取得手段）
９１ａ〜９１ｆ，９２ａ〜９２ｆ，９３ａ〜９３ｆ    キースイッチ（客室情報取得手段）
Ｒ１１〜１６，Ｒ２１〜２６，Ｒ３１〜３６    客室
【図１】
2008209035.tif 000003
【図２】
2008209035.tif 000004
【図３】
2008209035.tif 000005
【図４】
2008209035.tif 000006
【図５】
2008209035.tif 000007
【図６】
2008209035.tif 000008
【図７】
2008209035.tif 000009